(57)【要約】【課題】  ＬＥＤを覆う透光部材が接着により取り付けられるとともに、透光部材内が簡素な構成により通気されるＬＥＤランプおよびこのＬＥＤランプを具備する照明装置を提供する。【解決手段】  ＬＥＤランプ１は、基板９の一面９ａ側に設けられたＬＥＤ８を有するＬＥＤモジュール２と、一端側５ａに口金１９を取り付け、他端側５ｂにＬＥＤモジュール２を設けた筐体５と、ＬＥＤモジュール２を覆うように筐体５の他端側５ｂに設けられた第１の透光部材６および第１の透光部材６との間で内部空間２７が形成されるように第１の透光部材６に接着されて設けられた第２の透光部材７を有し、第１および第２の透光部材６，７の境界に接着部２２，７ｃおよび内部空間２７を外気に通気する非接着部２６が形成されている透光部材８と、を具備している。【選択図】図１
2014235802.tif 000002
【特許請求の範囲】
【請求項１】
基板およびこの基板の一面側に設けられたＬＥＤを有するＬＥＤモジュールと；
一端側に口金を取り付け、他端側に前記ＬＥＤモジュールを設けた筐体と；
前記ＬＥＤモジュールを覆うように前記筐体の他端側に設けられた第１の透光部材およびこの第１の透光部材との間で内部空間が形成されるように前記第１の透光部材に接着されて設けられた第２の透光部材を有し、前記第１および第２の透光部材の境界に接着部および前記内部空間を外気に通気する非接着部が形成されている透光部材と；
を具備していることを特徴とするＬＥＤランプ。
【請求項２】
前記非接着部は、第２の透光部材に形成された切り欠き部であることを特徴とする請求項１記載のＬＥＤランプ。
【請求項３】
請求項１または２記載のＬＥＤランプと；
このＬＥＤランプの前記口金が接続されるソケットを有する装置本体と；
を具備していることを特徴とする照明装置。
【発明の詳細な説明】
【技術分野】
【０００１】
本発明の実施形態は、光源としてのＬＥＤを覆うグローブやカバーなどの透光部材を有するＬＥＤランプおよびこのＬＥＤランプを具備する照明装置に関する。
【背景技術】
【０００２】
電球形蛍光ランプや電球形ＬＥＤランプは、その光源である蛍光ランプやＬＥＤがグローブで覆われている。そして、グローブが接着剤により筐体に取り付けられているものがある。また、例えばグローブと筐体を仕切る仕切体に通気孔を設けて、グローブ内を筐体の内部に通気させているものがある（例えば特許文献１参照。）。すなわち、グローブ内の温度が上昇したときにグローブの内圧の上昇を抑制させて、グローブが破損や脱落しないようにしている。
【０００３】
また、筐体のグローブの反対側に、筐体の中空部の内圧上昇防止用の開口部が設けられているものがある（例えば特許文献２参照。）。当該開口部は、ＬＥＤを点灯する点灯回路の部品（例えばコンデンサ）が溶解したときに、中空部の内圧が上昇しないように中空部の空気を外気に通気させている。
【先行技術文献】
【特許文献】
【０００４】
【特許文献１】特許第４５６０７９４号公報（第９−１０頁、第４図）
【特許文献２】特開２０１１−２５８３７２号公報（第４頁、第１図）
【発明の概要】
【発明が解決しようとする課題】
【０００５】
グローブの内圧の上昇を抑制するために、グローブの外表面に通気孔を設けると、電球形ランプの外観性を損なうおそれがある。また、グローブ内を筐体内に通気させるのみでは、筐体内が点灯回路の発熱によって温度上昇し圧力が上昇するので、グローブの内圧の上昇を抑制できないおそれがある。また、筐体に開口部（通気孔）を設けて、グローブ内を筐体内から外気に通気させるのは、通気経路が複雑となり、かつ開口部を設けることにより、電球形ランプがコストアップするという欠点を有する。
【０００６】
本実施形態は、ＬＥＤを覆う透光部材が接着により取り付けられるとともに、透光部材内が簡素な構成により通気されるＬＥＤランプおよびこのＬＥＤランプを具備する照明装置を提供することを目的とする。
【課題を解決するための手段】
【０００７】
本実施形態のＬＥＤランプは、ＬＥＤモジュール、筐体および透光部材を有して構成される。ＬＥＤモジールは、基板と、基板の一面側に設けられたＬＥＤとを有してなる。筐体は、一端側に口金を取り付け、他端側にＬＥＤモジュールを設けている。
【０００８】
透光部材は、第１の透光部材および第２の透光部材を有してなる。第１の透光部材は、ＬＥＤモジュールを覆うように筐体の他端側に設けられる。第２の透光部材は、第１の透光部材との間で内部空間が形成されるように第１の透光部材に接着されて設けられる。そして、第１および第２の透光部材の境界に接着部および前記内部空間を外気に通気する非接着部が形成されている。
【発明の効果】
【０００９】
本発明の実施形態によれば、透光部材は、内部空間が外気に通気する非接着部が形成されているので、ＬＥＤの点灯によって透光部材の内部空間が温度上昇して空気が膨張したときに、その膨張した空気が非接着部から外部空間に抜けることにより、透光部材の内圧の上昇が抑制されることが期待できる。
【図面の簡単な説明】
【００１０】
【図１】本発明の第１の実施形態を示すＬＥＤランプの一部断面概略側面図である。
【図２】同上、ＬＥＤランプの透光部材を取り外した状態の概略正面図である。
【図３】同上、第１の透光部材を示し、（ａ）は概略上側斜視図、（ｂ）は概略下側斜視図である。
【図４】同上、第２の透光部材を示し、（ａ）は概略上面図、（ｂ）は概略側面図、（ｃ）は概略側断面図である。
【図５】同上、他の第２の透光部材を示し、（ａ）は概略上面図、（ｂ）は概略側面図、（ｃ）は概略側断面図である。
【図６】本発明の第２の実施形態を示す照明装置の一部切り欠き概略側面図である。
【図７】同上、他の照明装置の一部切り欠き概略側面図である。
【発明を実施するための形態】
【００１１】
以下、本発明の一実施の形態について、図面を参照して説明する。まず、本発明の第１の実施形態について説明する。
【００１２】
本実施形態のＬＥＤランプ１は、図１に示すように、電球用ソケットに着脱されるミニクリプトン電球タイプのＬＥＤ電球であり、ＬＥＤモジュール２、外囲器３および取付け体４からなる筐体５、第１の透光部材としてのレンズ６および第２の透光部材としてのグローブ７からなる透光部材８を有して構成されている。
【００１３】
ＬＥＤモジュール２は、図２に示すように、基板９、ＬＥＤとしてＬＥＤチップ１０および封止樹脂１１を有して形成されている。基板９は、例えば厚さ１．２ｍｍのアルミニウム（Ａｌ）板からなり、外形が例えば略正四角形に形成されている。ＬＥＤチップ１０は、例えば青色光を発光するものであり、ＣＯＢ（Chip  On  board）方式によって基板９に実装されている。
【００１４】
すなわち、ＬＥＤモジュール２は、複数個のＬＥＤチップ１０が基板９の一面９ａ側に図示しない高熱伝導性を有する絶縁層を介して同心円状に実装され、ＬＥＤチップ１０を包囲して例えばシリコーン樹脂からなる枠部（バンク）１２が設けられている。そして、枠部１２内にＬＥＤチップ１０を覆って封止する例えばシリコーン樹脂などの封止樹脂１１が充填されている。封止樹脂１１には、ＬＥＤチップ１０からの青色光の一部により励起されて黄色光を放射する図示しない黄色蛍光体が混入されている。
【００１５】
なお、基板９は、ガラスエポキシ材や紙フェノール材などの樹脂材で形成されてもよく、そのものが絶縁性を有するセラミック板などで形成してもよい。
【００１６】
そして、基板９の一面９ａ側には、コネクタ１３が実装されている。このコネクタ１３は、図示しない配線パターンによりＬＥＤチップ１０に電気接続されている。複数個のＬＥＤチップ１０は、図示しない配線パターンにより直列接続されている。そして、コネクタ１３は、不図示のリード線により、後述する点灯装置１４に接続されている。
【００１７】
ＬＥＤチップ１０は、点灯装置１４から所定の電力（電流）が供給されると点灯（発光）する。ＬＥＤモジュール２は、封止樹脂１１の表面が発光面となり、この発光面から青色光および黄色光が混合した白色光を放射する。
【００１８】
図１において、筐体５は、本実施形態においては、高熱伝導率を有する金属材料例えばアルミニウム（Ａｌ）からなる外囲器３と、電気絶縁性および高熱伝導性を有する合成樹脂例えばポリブチレンテレフタレート（ＰＢＴ）樹脂からなる取付け体４とから形成されている。外囲器３は、全体として、一端側３ａから他端側３ｂに緩やかに径大する略逆円錐台の筒状に形成され、その他端側３ｂに内側に突出する不図示のダボが設けられている。このダボは、周回方向に１２０゜間隔で３個が形成されている。そして、図２に示すように、外囲器３の他端側３ｂの端面３ｃは、平面に形成されている。端面３ｃの周縁部側には、挿通口１５および不図示のダボ間にそれぞれ凹溝１６が設けられている。凹溝１６は、所定の深さよび全長を有する円弧状の長方形に形成されている。また、挿通口１５は、ＬＥＤモジール２のコネクタ１３に接続される不図示のリード線が挿通可能な円弧状の長方形に形成されている。外囲器３は、アルミダイキャストにより、上述のように成型されている。
【００１９】
そして、外囲器３の端面３ｃに放熱板１７が載せられている。放熱板１７は、ねじ１８により、端面３ｃに固定されている。すなわち、放熱板１７には、ねじ１８を挿通する不図示の挿通孔が設けられ、外囲器３の不図示のダボには、ねじ１８のねじ孔が設けられている。そして、放熱板１７にＬＥＤモジュール２が取り付けられている。ＬＥＤモジュール２の基板９は、放熱板１７に密接して、不図示のねじにより固定されている。こうして、図１に示すように、外囲器３の他端側３ｂ（筐体５の他端側５ｂ）にＬＥＤモジュール２が設けられている。なお、外囲器３は、熱伝導性の良好な樹脂またはセラミックなどで形成されてもよい。
【００２０】
そして、外囲器３には、取付け体４が挿入されて取り付けられている。取付け体４は、一端側４ａが略円筒状に形成され、他端側４ｂが外囲器３の内面に密接する外形形状の筒状に形成されている。そして、取付け体４は、外囲器３の内面において不図示の取付け手段により外囲器３に固定されている。取付け体４は、その一端側４ａの外面に螺旋状の凸条が形成されていて、当該凸条に口金としてのＥ形口金１９が螺合されている。Ｅ形口金１９は、取付け体４の一端側４ａの外面にかしめられて固定されている。Ｅ形口金１９と金属である外囲器３とは、取付け体４の一端側４ａの外周面４ｃにより絶縁されている。こうして、取付け体４の一端側４ａ（筐体５の一端側５ａ）にＥ形口金１９を取り付けている。
【００２１】
なお、外囲器３は、高熱伝導率を有する例えばアルミニウム（Ａｌ）により形成されることにより、ＬＥＤモジュール２に発生した熱を迅速に伝熱して、外面３ｄから放出させる。したがって、外囲器３が高熱伝導率かつ電気絶縁性を有する合成樹脂やセラミックで形成されるものであれば、取付け体４を外囲器３と一体に成形して筐体５を形成してもよい。
【００２２】
筐体５（取付け体４）内には、点灯装置１４が収納されている。点灯装置１４は、回路基板に実装された多種類の回路部品を有してなり、ＬＥＤモジュール２のＬＥＤチップ１０を点灯する既知の点灯回路を形成している。点灯装置１４の入力側は、不図示のワイヤによりＥ形口金１９に接続されている。また、点灯装置１４の出力側は、不図示のリード線によりＬＥＤモジュール２のコネクタ１３に接続されている。点灯装置１４は、Ｅ形口金１９を介して給電すると動作し、所定の定電流をＬＥＤモジュール２のＬＥＤチップ１０に供給する。
【００２３】
そして、筐体５の他端側５ｂに透光部材８が設けられている。透光部材８は、第１の透光部材であるレンズ６と、第２の透光部材であるグローブ７との２パーツからなっている。
【００２４】
レンズ６は、例えばポリカーボネート樹脂からなり、図３（ａ）に示すように、中央部２０ａが滑らかな曲面で凹んでいるとともに中央部２０ａに円柱部２１が設けられ、周縁部２０ｂに平面状の環状座２２が設けられた略椀形に形成されている。そして、環状座２２に所定の深さを有する環状溝２３が形成されている。
【００２５】
また、レンズ６は、図３（ｂ）に示すように、端面２０ｃ側に３個の取付片２４が設けられている。取付片２４は、外囲器３の端面３ｃに形成された凹溝１６に対応して設けられ、凹溝１６に挿入可能に形成されている。レンズ６は、凹溝１６内を含む外囲器３の端面３ｃに接着剤が塗布された後、取付片２４を凹溝１６に挿入して端面３ｃに接着されている。レンズ６は、外囲器３の端面３ｃに固着されるとともに、図１に示すように、ＬＥＤモジュール２を覆うものである。
【００２６】
レンズ６は、ＬＥＤモジュール２から放射された一部の放射光を透過するとともに、他の一部の放射光を導光して筐体５の外部空間に露出している外周面６ａから外囲器３の外面３ｄ側に出射させる。すなわち、ＬＥＤモジュール２からの放射光で広配光を実現する導光体として機能するものである。
【００２７】
グローブ７は、透光性を有する樹脂材料例えばポリカーボネート樹脂により、他端側７ｆが閉塞され一端側７ｅが開口されるとともにレンズ６を覆うように略球面状に成型されている。グローブ７の内面７ｂは、図４（ｃ）に示すように、波紋形に形成されている。そして、グローブ７は、その端面７ｃが平面状に形成され、端面７ｃに例えば断面三角形の環状凸条２５が設けられている。この環状凸条２５は、レンズ６の環状座２２に形成された環状溝２３に挿入可能に形成されている。
【００２８】
また、グローブ７は、その端面７ｃに切り欠き部２６が形成されている。切り欠き部２６は、グローブ７の外面７ａから内面７ｂに至るものであり、環状凸条２５を切り欠くとともに端面７ｃから頂部７ｄ側に例えば０．１〜１．０ｍｍの深さを有する長方形に形成され、図４（ａ）に示すように、頂部７ｄに対して周回方向に例えば９０°間隔で４個が設けられている。
【００２９】
そして、グローブ７は、レンズ６の環状溝２３内を含む環状座２２に接着剤が塗布された後、環状凸条２５を環状溝２３に挿入して環状座２２に接着されている。このとき、グローブ７は、レンズ６に強く押し当てるようにして接着される。グローブ７は、レンズ６の環状座２２に固着されるとともに、図１に示すように、レンズ６を覆っている。このとき、レンズ６とグローブ７との間で内部空間２７が形成されている。すなわち、グローブ７の内側に内部空間２７が形成されるように、レンズ６およびグローブ７の形状等が設定されている。
【００３０】
そして、レンズ６およびグローブ７の境界において、互いに接着されたレンズ６の環状座２２およびグローブ７の端面７ｃは、レンズ６とグローブ７とが接着される接着部となっている。そして、グローブ７の各切り欠き部２６は、レンズ６の環状座２２に接着されず、レンズ６およびグローブ７の非接着部となっている。そして、各切り欠き部２６は、内部空間２７を外気に通気するように形成されている。各切り欠き部２６は、グローブ７の端面７ｃがレンズ６の環状座２２に接着された状態で０．２ｍｍ2以上の開口面積を有している。なお、この開口面積の上限値は、グローブ７またはＬＥＤランプ１の外観性などを考慮して適宜設定されればよいものであり、例えば１．０ｍｍ2である。
【００３１】
次に、本発明の第１の実施形態の作用について述べる。
【００３２】
ＬＥＤランプ１は、照明装置の電球用ソケットに装着される。そして、Ｅ形口金１９に外部電源が印加すると、点灯装置１４が動作し、点灯装置１４からＬＥＤモジュール２の複数個のＬＥＤチップ１０に所定の定電流（電力）が供給される。複数個のＬＥＤチップ１０は、点灯し、ＬＥＤモジュール２から白色光が放射される。白色光は、レンズ６に入射し、一部がレンズ６内で導光されて拡散されてグローブ７に出射し、さらにグローブ７の波紋形の内面７ｂで拡散され、略球面状のグローブ７を透過して外部空間に放射される。また、レンズ６に入射した一部の白色光は、導光されてレンズ６の外周面６ａから外囲器３側の外部空間に出射される。こうして、ＬＥＤランプ１から広配光の白色光が放射される。
【００３３】
そして、ＬＥＤチップ１０の点灯により、ＬＥＤモジュール２が発熱する。この熱は、レンズ６を温度上昇させて、レンズ６とグローブ７との間の内部空間２７の空気を次第に温度上昇させる。内部空間２７の空気は、温度上昇に伴って膨張する。そして、内部空間２７の空気は、膨張するに従ってグローブ７の切り欠き部２６からグローブ７の外側の外部空間に抜ける。これにより、ＬＥＤチップ１０の点灯による内部空間２７の内圧の上昇が抑制される。内部空間２７の圧力が上昇しないので、接着によりレンズ６に取り付けられているグローブ７がレンズ６から取り外れることが防止される。すなわち、グローブ７の脱落が防止される。
【００３４】
本実施形態のＬＥＤランプ１によれば、透光部材８は、レンズ６およびグローブ７との間の内部空間２７が外気に通気する切り欠き部２６が形成されているので、ＬＥＤモジュール２の点灯によって透光部材８の内部空間２７が温度上昇して空気が膨張したときに、その膨張した空気が切り欠き部２６から外部空間に抜けて、透光部材８の内部空間２７の圧力上昇を抑制することができ、これにより、簡素な構成で接着によりレンズ６に取り付けられたグローブ７の脱落を防止することができるという効果を有する。
【００３５】
そして、切り欠き部２６は、接着されるグローブ７の端面７ｃに形成されるので、容易に形成できるとともに、ＬＥＤランプ１の外観を損なうことを抑制できるという効果を有する。
【００３６】
なお、本実施形態において、グローブ７は、切り欠き部２６に替えて、図５に示すように、端面７ｃに非接着部としての通気孔２８を設けてもよい。通気孔２８は、外面７ａと内面７ｂとが通気するように環状凸条２５よりも頂部７ｄ側に形成される。
【００３７】
また、グローブ７は、切り欠き部２６や通気孔２８を設けず、端面７ｃに環状凸条２５を含み接着剤の非塗布部分を設けて、レンズ６に接着させるようにしてもよい。接着剤の非塗布部分は、透光部材８の非接着部となり、外面７ａと内面７ｂとを通気するようになる。ここで、グローブ７は、その端面７ｃの平面性が劣化するように形成されると、接着剤の非塗布部分に通気間隙が形成されやすく好適である。
【００３８】
また、グローブ７は、接着剤による接着に限らず、溶着や圧接により接着されてもよい。また、グローブ７は、略球面状でなくてもよく、他端側７ｆが閉塞され一端側７ｅが開口されていればその形状が限定されるものでなく、例えば椀状や正方形の箱状であってもよい。また、グローブ７は、透光性のガラスで形成されてもよい。
【００３９】
透光部材８の第１の透光部材は、レンズ６に限られるものではなく、例えば導光体であってもよい。また、第２の透光部材は、グローブ７に限らず、第１の透光部材に接着されて設けられる透光性のものであればよく、例えばカバーであってもよい。
【００４０】
また、本実施形態において、ＬＥＤモジュール２は、ＬＥＤチップ１０に限らず、パッケージ品のＬＥＤ素子を用いて形成してもよい。また、筐体５は、滑らかに径大する略円錐台の筒状に限らず、円筒や角筒などの筒状であってもよい。また、口金は、Ｅ形口金１９に限らず、端子ピン付きやＧＸ５３形などの口金であってもよい。
【００４１】
次に、本発明の第２の実施形態について説明する。
【００４２】
図６は、本実施形態を示す照明装置の一部切り欠き概略正面図、図７は、同じく他の照明装置の一部切り欠き概略正面図である。なお、図１と同一部分には、同一符号を付して説明は省略する。
【００４３】
図６に示す照明装置３１は、図１に示すＬＥＤランプ（ＬＥＤ電球）１を使用するダウンライトであり、天井３２に埋設されている。そして、外形が有底の略円筒状に形成された装置本体３３にソケットとしての電球用ソケット３４が配設されている。装置本体３３は、装置本体３３と一体的に設けられているカバー体３５と板バネ３６，３６により、天井３２に挟持されて、天井３２に固定されている。そして、電球用ソケット３４に、ＬＥＤランプ１が取り付けられている。
【００４４】
電球用ソケット３４が通電されると、ＬＥＤランプ１の点灯装置１４（図示しない。）が動作し、ＬＥＤモジュール２（図示しない。）の各ＬＥＤチップ１０（図示しない。）に所定の定電流が供給される。これにより、複数個のＬＥＤチップ１０が点灯し、レンズ６の外周面６ａおよびグローブ７の外面７ａから白色光が放射される。白色光は、広配光の照明光であり、直接光および装置本体３３の内面３３ａで反射された反射光となって、カバー体３５の透光部３５ａから床面側に出射される。
【００４５】
図７に示す照明装置４１は、天井３２に吊り下げられる吊下げ形照明器具であり、外形が有底の円筒状である装置本体４２に図１に示すＬＥＤランプ１のＥ形口金１９（図示しない。）が取り付けられるソケットとしての電球用ソケット４３が配設されている。装置本体４２は、先端に引掛シーリングキャップ４４を有する電源コード４５を接続している。
【００４６】
そして、引掛シーリングキャップ４４は、天井３２に配設されている引掛シーリングボディ４６に取り付けられている。これにより、電源コード４５等を介して電球用ソケット４３に外部電源が供給される。引掛シーリングキャップ４４および引掛シーリングボディ４６は、シーリングカバー４７により覆われている。そして、ＬＥＤランプ１は、電球用ソケット４３に装着されている。
【００４７】
ＬＥＤランプ１は、図示しない壁スイッチのオンオフ操作に応じて点灯される。そして、レンズ６の外周面６ａから放射された白色光が天井３２側を照明し、グローブ７の外面７ａから放射された白色光が広配光で床面側を照明する。
【００４８】
本実施形態の照明器具３１，４１によれば、レンズ６とグローブ７との間の内部空間２７の圧力が外部空間に抜けるＬＥＤランプ１を具備するので、接着によりレンズ６に取り付けられたグローブ７の落下を防止することができて、被照射面を照明できるという効果を有する。
【００４９】
なお、本実施形態の照明器具は、埋め込み形や吊り下げ形に限らず、直付け形の照明器具であってもよい。
【００５０】
また、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００５１】
１…ＬＥＤランプ、  ２…ＬＥＤモジュール、  ５…筐体、  ６…第１の透光部材としてレンズ、  ７…第２の透光部材としてのグローブ、  ７ｃ…接着部としてのグローブの端面、  ８…透光部材、  ９…基板、  １０…ＬＥＤとしてのＬＥＤチップ、  １９…口金としてのＥ形口金、  ２２…接着部としてのレンズの環状座、  ２６…非接着部としての切り欠き部、  ２７…内部空間、  ２８…非接着部としての通気孔、  ３１，４１…照明装置、  ３３，４２…装置本体、  ３４，４３…ソケットとしての電球用ソケット
【図１】
2014235802.tif 000003
【図２】
2014235802.tif 000004
【図３】
2014235802.tif 000005
【図４】
2014235802.tif 000006
【図５】
2014235802.tif 000007
【図６】
2014235802.tif 000008
【図７】
2014235802.tif 000009